(57)【特許請求の範囲】
【請求項１】
上部のウエスト開口部、左右のレッグ開口部及び該レッグ開口部の間の股下部を有する布製のパンツ本体と、
該パンツ本体の前部に設けられ、使用者の陰のう及び陰茎を露出させる窓部と、
該窓部を含む前記パンツ本体の前部を覆い、前記ウエスト開口部のウエスト開口縁側と前記股下部側との間にわたって配され、前記窓部から露出される前記陰のう及び陰茎を覆い隠す袋状底部が形成される布製の前布部と、
該前布部の前記袋状底部に近接する上方位置の左右側に配され、前記パンツ本体の前部の表面と前記前布部の左右側の側縁との間で前記袋状底部内に外気を出入り可能として形成される通気開口部と、
この通気開口部を形成する前記左右側の側縁に設けられ、該左右側の側縁に沿って上下方向に弾性力を作用させるとともに前記外気の出入りを維持しつつ前記袋状底部による陰のう及び陰茎の保持状態を維持させるようにしたゴム状部と、
を備えることを特徴とする男性用下着。
【請求項２】
前記パンツ本体の前布部の窓部には、上下方向の開口度合いを調整可能とするファスナ手段として、ボタン穴とボタンとの組み合せ、凸型留め具と凹型留め具との組み合せによる凹凸嵌合機能を有するスナップボタン、ループ片を有する一方面ファスナとフック片を有する他方面ファスナとの組み合せによる面ファスナのいずれかが設けられたことを特徴とする請求項１に記載の男性用下着。
【請求項３】
前記前布部は前記パンツ本体の前記股下部側においては縫着され、前記ウエスト開口縁側においては着脱可能又は前記ウエスト開口縁側においてはその左右の何れか一方側で縫着されるとともに、他方側においては着脱可能とされることを特徴とする請求項１又は２に記載の男性用下着。
【請求項４】
前記前布部の内面に設けられ、着用者の排尿後の残尿洩れを吸収する吸水材が収納可能とされるメッシュ部材で形成されるポケット部を備えることを特徴とする請求項３に記載の男性用下着。
【請求項５】
前記ポケット部には、着用時において収納すべき前記吸水材の上部を保持して吊下げ形態での収納姿勢を維持するようにした吸水材取付手段を備えることを特徴とする請求項４に記載の男性用下着。
【発明の詳細な説明】
【技術分野】
【０００１】
本発明は、着用時の快適使用感を得るようにする男性用下着に関する。
【背景技術】
【０００２】
一般的に男性が排尿した後においては、残尿が外に洩れることがあり、この尿洩れ対策をした男性パンツとして、パンツの前面内側に設けた内袋内に吸水パットを収納し、この吸水パットによって洩れた尿を吸収するようにしたものが知られている（特許文献１参照）。
【先行技術文献】
【特許文献】
【０００３】
【特許文献１】特開２００４―２５６９７８号公報
【発明の概要】
【発明が解決しようとする課題】
【０００４】
しかし、特許文献１のような男性パンツは吸水パットによって尿洩れを吸収するようにした単機能製品に過ぎなく、例えば、発汗による陰のう及び陰茎のムレ、かぶれなどの皮膚疾患を防止するための乾燥し易さや、スポーツ時の陰のう及び陰茎のサポート機能などの複合機能を備えさせるようにした男性用下着の提案が求められている。
【０００５】
本発明は、上記課題を解決するために鑑み、陰のう及び陰茎をサポートしつつかかる個所の乾燥を促進させる構造を備えさせて複合機能を具有させたり、さらに排尿後の残尿洩れを吸収する機能を付加できるようにした男性用下着を提供する。
【課題を解決するための手段】
【０００６】
本発明は、上部のウエスト開口部、左右のレッグ開口部及び該レッグ開口部の間の股下部を有する布製のパンツ本体と、該パンツ本体の前部に設けられ、着用者の陰のう及び陰茎を露出させる窓部と、該窓部を含む前記パンツ本体の前部を覆い、前記ウエスト開口部のウエスト開口縁側と前記股下部との間にわたって配され、前記窓部から露出される前記陰のう及び陰茎を覆い隠す袋状底部が形成される布製の前布部と、該前布部の前記袋状底部に近接する上方位置の左右側に配され、前記パンツ本体の前部の表面と前記前布部の左右側の側縁との間で前記袋状底部内に外気を出入り可能として形成される通気開口部と、この通気開口部を形成する前記左右側の側縁に設けられ、該左右側の側縁に沿って上下方向に弾性力を作用させるとともに前記外気の出入りを維持しつつ前記袋状底部による陰のう及び陰茎の保持状態を維持させるようにしたゴム状部とを備えることを特徴とする。
【０００７】
上記構成とすることにより、着用者の陰のう及び陰茎は窓部から露出された状態で前布部の袋状底部で覆い隠されるように保持することができ、スポーツなどの激しい動きがともなっても快適なサポート着用感が得られる。さらに、袋状底部でサポートされている着用者の陰のう及び陰茎を、前布部の左右側に設けられる通気開口部に手を通すことができるため、左利きや右利きによらず、サポート位置を直したり、放尿時に露出させることが容易にできる男性用下着を提供でき、しかも、発汗時においても通気開口部から直接外気が出入りされるため、ムレ、カブレなどの皮膚疾患や不快感を低減する男性用下着を提供できる。また、通気開口部を形成する左右側の側縁に、外気の出入りを維持しつつ袋状底部による陰のう及び陰茎の保持状態を維持させるようにしたゴム状部を備えているので、動きが激しいスポーツで使用しても、その着用感を損うことがない。
【０００８】
また、本発明において、前記パンツ本体の前布部の窓部には、上下方向の開口度合いを調整可能とするファスナ手段として、ボタン穴とボタンとの組み合せ、凸型留め具と凹型留め具との組み合せによる凹凸嵌合機能を有するスナップボタン、ループ片を有する一方面ファスナとフック片を有する他方面ファスナとの組み合せによる面ファスナのいずれかが設けられる。
【０００９】
このように、窓部にその上下方向の開口度を狭くして陰のう及び陰茎の根本部を抑制する抑制手段としてファスナ手段を設けることにより、陰のう及び陰茎の根本側の部分が抑制されるため、走る、歩く、座るなどで陰のう及び陰茎が露出されなくなることがなくサポート着用感を確実に維持することができる。
【００１０】
また、男性用下着において、前記前布部は前記パンツ本体の前記股下部側においては縫着され、前記ウエスト開口縁側においては着脱可能又は前記ウエスト開口縁側においてはその左右の何れか一方側で縫着されるとともに、他方側においては着脱可能とされることを特徴とすることにより、前布部は排尿時に簡単に邪魔にならないように外すことができるため、パンツ本体そのものを下ろす必要が無く、容易に排尿行為を行うことができる。
【００１１】
また、男性用下着において、前記前布部の内面に設けられ、着用者の排尿後の残尿洩れを吸収する吸水材が収納可能とされるメッシュ部材で形成されるポケット部を備えることを特徴とすることにより、排尿後は確実にその残尿洩れを吸水材によって吸収することができ、下着や上着であるズボンなどの汚れを防止でき、良好な着用感を維持できる。しかも、吸水材はポケット部に収納されるものであるため、取替え可能となり利便性が良好となる。
【００１２】
また、男性用下着において、前記ポケット部には、着用時において収納すべき前記吸収材の上部を保持して吊下げ形態での収納姿勢を維持するようにした吸水材取付手段を備えることを特徴とすることにより、吸水材が着用中においても常にポケット部内で広がって位置するため、吸水機能が損なわれることがないので、安心して排尿行為をすることができる。
【図面の簡単な説明】
【００１３】
【図１】本発明に係る男性用下着の全体を示す図。
【図２】図１の男性用下着の前布部を開いた状態を示す図。
【図３】他の実施の形態の男性用下着の全体を示す図。
【図４】図３の男性用下着の前布部を開いた状態を示す図。
【図５】パンツ本体の前部と前布部とで形成される通気開口部を示す図。
【図６】前布部の袋状底部で陰のう及び陰茎をサポートする状態を示す図。
【図７】パンツ本体の前部における窓部を示す図。
【図８】吸水材を備える本発明に係る男性用下着の全体を示す図。
【図９】図８の男性用下着の前布部を開いた状態を示す図。
【図１０】他の実施の形態の男性用下着の全体を示す図。
【図１１】図１０の男性用下着の前布部を開いた状態を示す図。
【図１２】前布部の袋状底部で陰のう及び陰茎をサポートする状態を示す図。
【図１３】前布部の袋状底部で陰のう及び陰茎をサポートした状態でポケット部に収納する吸水材の固定保持状態を示す図。
【図１４】尻部までの長さの吸水材を使用した男性用下着を示す図。
【発明を実施するための形態】
【００１４】
以下、本発明の実施の形態につき図面を参照して説明する。図１は本発明の実施の形態に係る男性用下着を示す図である。図２は図１の男性用下着の前布部を開いた状態を示す図である。図３は他の実施の形態の男性用下着の全体を示す図である。図４は図３の男性用下着の前布部を開いた状態を示す図である。
【００１５】
図１から図４において、男性用下着１は、着用者の腰にフィットさせるために上部に配されるウエスト開口部２と、着用者の脚を通すために左右に配されるレッグ開口部３と、このレッグ開口部３の間に配される股下部４を有するパンツ本体５から構成される。このパンツ本体５の材質としては伸縮性を有する綿、絹、ウール、あるいは合成繊維などの布製があげられる。なお、この明細書において、以下における左右、前後、上下などの記載は、着用者にとっての方向を意味する。
【００１６】
ウエスト開口部２にはウエスト開口縁２ａが設けられる。このウエスト開口縁２ａは着用者の腰位置に相当する部分であり、パンツ本体５の最上部に設けられている。このウエスト開口縁２ａにはゴム状部材２ｂが設けられており、このゴム状部材２ｂの弾性力によって腰にフィットさせるようにして着用後のズレ落ちを防止している。
【００１７】
パンツ本体５の前身頃としての前部５ａには、図６に示すように着用者の陰のうＡ及び陰茎Ｂを露出させる窓部６が設けられている。この窓部６は図７（ａ）に示すように、上下方向を長手として前部５ａを形成する布材にスリット６ａを形成することにより布材の柔軟性によって開口されることとなる。また、窓部６は図７（ｂ）に示すように、２枚の布材６ｃどうしが重なった立体重ね合わせ構造として形成されるものであれば左右何れか一方の側方６ｂ（本例では左側）が開口されることとなる。この上下方向の開口度合いは、露出させる陰のうＡ及び陰茎Ｂの大きさによらず、その露出状態を保持させるための手段を有している。
【００１８】
この窓部６における開口調整の手段の具体例としては、窓部６を形成する布材６ｃの上下方向に設けられる抑制手段としてのファスナ手段７によって可能とされる。具体的には、図７（ｃ）に示すように、ボタン穴７ａとボタン７ｂとの組み合せを使用したり、また、図７（ｄ）に示すように、凸状の凸型留め具７ｃと凹状の凹型留め具７ｄとの組み合せによる凹凸嵌合機能を有するスナップボタン７ｅを使用したり、また、図７（ｅ）に示すように、ループ片を有する一方面ファスナ７ｆとフック片を有する他方面ファスナ７ｇとの組み合せによる面ファスナを使用することが可能である。
【００１９】
図１〜図４に戻り、パンツ本体５の窓部６を含む前部５ａは布製からなる前布部８で覆われている。この前布部８はウエスト開口部２のウエスト開口縁２ａ側と股下部４側との間にわたって配されている。
【００２０】
この前布部８は、所定の伸縮性を有する綿、絹、ウール、あるいは合成繊維などの布製によって、全体が概ね逆台形状に形成される布本体８ａからなる。この布本体８ａは後述するように着用者の陰のうＡ及び陰茎Ｂに直接触る部分を含んでおり、このため排尿後の残尿を吸水可能となる材質が望ましく、しかも、洗濯して数回繰り返して使用可能なものとする場合の耐洗濯性、乾燥性、装着感などの観点から親水性繊維を含有する布材が好ましい。なお、この布材は単層であったり、例えば着用者と接する内側を残尿を吸水するための吸水層とし、外側を残尿の外部への漏出を防止するための防止層とすることも可能である。
【００２１】
そして、この布本体８ａの下端辺８ａ１側を、パンツ本体５の股下部４側に縫着している。また、布本体８ａの上端辺８ａ２側を、パンツ本体５のウエスト開口縁２ａにおいては着脱可能としている。この着脱可能とする手段は、上述のファスナ手段７が使用可能である。
【００２２】
この布本体８ａの上端辺８ａ２側の装着例としては、図１、図２に示すように、パンツ本体５のウエスト開口縁２ａ側において左右の両側にファスナ手段７を使用することが可能である。また、図３、図４に示すように、パンツ本体５のウエスト開口縁２ａ側においてはその左右の何れか一方側（本例では右側）で破線にて示す縫着ラインＬ１の範囲で縫着されるとともに、他方側（本例では左側）においてはファスナ手段７を使用するようにして着脱可能としている。これによって着用者の右利き、左利きの両者への対応を図っている。
【００２３】
また、図１〜図４、図６に戻り、前布部８をパンツ本体５の前部５ａに重ねて覆うように設けた状態で、窓部６から露出される着用者の陰のうＡ及び陰茎Ｂを覆い隠し、かつ、その露出位置で包み込むように保持させるようにした袋状底部８ｂを形成するように、布本体８ａの下端辺８ａ１とパンツ本体５の股下部４側とは、破線にて示す縫着ラインＬで縫着している。
【００２４】
この縫着ラインＬは、着用者が男性用下着１を着用した状態で、窓部６から露出される着用者の陰のうＡ及び陰茎Ｂの根本側に最も近くなるように位置させるとともに、前布部８の素材の持つ伸縮性によって、陰のうＡ及び陰茎Ｂのほぼ全体を包み込むようにした状態で下方に垂れ下がるように保持可能とする袋状底部８ｂ（図６参照）が形成されることにより、この袋状底部８ｂによるサポート着用感を向上させている。しかも、所定幅の下端辺８ａ１によって、その幅寸法を縮めるようにして形成した左右方向の幅にて全体がシワ状面によって形成される袋状底部８ｂであるため、単なる同じ幅の平面的なものと比較しても、この袋状底部８ｂの吸水能力は高くなることにより排尿吸水の点で有利となる。
【００２５】
また、図５に示すように、前布部８と、該前布部８の袋状底部８ｂに近接する上方位置の左右側に配され、パンツ本体５の前部５ａの表面５ｃと前布部８の左右側の側縁８ｃとの間に、袋状底部８ｂ内に外気を出入り可能として形成される一対となる通気開口部９を備えている。また、この通気開口部９を形成する左右側の側縁８ｃには糸紐もしくは帯紐状の弾性部材としてのゴム状部材８ｃ１が設けられており、このゴム状部材８ｃ１によって前布部８にその上下方向に弾性力が作用することにより、袋状底部８ｂのサポート機能と相まってさらにその機能を高めることができる。また、通気開口部９を有しているため、サポート機能が高くなっても袋状底部８ｂ内には外気が導入、導出されることにより袋状底部８ｂ内を乾燥状態へと導くことが可能となる。また、前布部の左右側に設けられる通気開口部９に手を通すことができるため、左利きや右利きによらず、着用者の陰のうＡ及び陰茎Ｂのサポート位置を直したり、放尿時に露出させることが容易にできることとなる。
【００２６】
つぎに、本発明に係る他の実施形態の男性用下着１としては、図８〜図１２に示すように、前布部８の内面にはポケット部１０が設けられる。このポケット部１０には、着用者の排尿後の残尿洩れを吸収する吸水パット１１が収納される。このためポケット部１０は透水性を備えるメッシュ部材で形成されている。この吸水パット１１は生理用ナプキンや使い捨ておむつ等の吸収体として従来用いられている各種公知のものである高分子吸水ポリマーをコア材と使用することができる。また、洗濯して数回繰り返して使用可能なものとする場合は、耐洗濯性、乾燥性、装着感等の観点から親水性繊維を含有する布材が好ましい。さらに、吸水パット１１として好ましくは水溶性を有する吸水材を使用することにより、水洗トイレに廃棄しても吸水材が溶けて流れるため、使用後における手間をなくすことができて有益である。なお、この例による他の構成部材について、上述の他の実施の形態における構成部材と同様な部材は、図中に同一符号を付して、その詳細な説明は省略する。
【００２７】
また、吸水パット１１は、図１３に示すように、着用時において収納すべき吸水パット１１の上部を保持して吊下げ形態での収納姿勢を維持するようにした吸水パット取付手段１２を備えている。この吸水パット取付手段１２は上述のファスナ手段７と同様の構成を採用するものである。
【００２８】
また、図１４に示す男性用下着１（窓部６は図示省略）は、吸水パット１１ａとしてパンツ本体５の尻部としての後部５ｂまで連続する長さのものを使用する例である。この例による吸水パット１１ａは、長手側の一端を前布部８の内面のポケット１０内に収納させ、他端を後部５ｂの所定位置に止着させている。
【００２９】
このように吸水パット１１ａを後部５ｂまで通すために、パンツ本体５の前部５ｂであって、前布部８で形成される袋状底部８ｂ内と連通される位置に通穴５ａ１を形成している。また、この吸水パット１１ａを止着させるために上述のファスナ手段７を使用することができ、これによって吸水パット１１ａも着脱可能とされる。
【００３０】
以上、本発明の実施の形態を説明したが、これらはあくまで例示にすぎず、本発明はこれらに限定されるものではなく、各々の実施の形態は、本発明の説明のために一つ実施形態の部分として述べられている構成を、別の実施の形態において利用し、更にこれらを組み合わせて別の実施の形態とすることができる。
【符号の説明】
【００３１】
１          男性用下着
２          ウエスト開口部
２ａ        ウエスト開口縁
３          レッグ開口部
４          股下部
５          パンツ本体
５ａ        前部
５ｃ        表面
６          窓部
７          ファスナ手段（抑制手段）
８          前布部
８ｂ        袋状底部
８ｃ        側縁
８ｃ１      ゴム状部材
９          通気開口部
１０        ポケット部
【要約】
【課題】  排尿後の残尿洩れを吸収するとともに、陰のう及び陰茎を保持しつつ乾燥を促進させる複合機能を有するようにした男性用下着を提供する。
【解決手段】  ウエスト開口部２、レッグ開口部３及び股下部４を有する布製のパンツ本体５と、パンツ本体５の前部５ａに設けられ、着用者の陰のう及び陰茎を露出させる窓部６と、窓部６を含むパンツ本体５の前部５ａを覆い、ウエスト開口部２のウエスト開口縁２ａ側と股下部４側との間にわたって配され、窓部６から露出される陰のう及び陰茎を覆い隠す袋状底部８ｂが形成される布製の前布部８と、前布部８の袋状底部８ｂに近接する上方位置の左右側に配され、パンツ本体５の前部５ａと前布部８とによって、袋状底部８ｂ内に外気を出入り可能として形成される通気開口部９と、を備えることを特徴とする男性用下着。
【選択図】  図１【図１】
0004801218.tif 000002
【図２】
0004801218.tif 000003
【図３】
0004801218.tif 000004
【図４】
0004801218.tif 000005
【図５】
0004801218.tif 000006
【図６】
0004801218.tif 000007
【図７】
0004801218.tif 000008
【図８】
0004801218.tif 000009
【図９】
0004801218.tif 000010
【図１０】
0004801218.tif 000011
【図１１】
0004801218.tif 000012
【図１２】
0004801218.tif 000013
【図１３】
0004801218.tif 000014
【図１４】
0004801218.tif 000015